Podtech/llm-jp-corpus-v4-ja_patent huggingface dataset:
(57)【要約】【課題】従来の取締り機は車速パルスのみからデータをとっているため、タイヤの磨耗や高速走行時の膨張などにより誤差が生じてしまい、そのため実況見分時に問題が生じており速度違反者取締りに支障をきたしている。【解決手段】従来の車速パルスによるデータだけでなく、ＧＰＳによる速度データおよび車速パルスからのデータとＧＰＳからの速度データの平均値をそれぞれデジタル表示させる。またそれぞれ表示された速度は測定地点の緯度経度、時刻、測定グラフとともにプリントアウトをその場で行うことができる。【選択図】図１
2012138051.tif 000002
【特許請求の範囲】
【請求項１】
対象車を追尾開始と同時にＧＰＳからの位置情報をもとに速度を算出し車速パルスのデータを合わせ平均値化し表示する、また測定地点の緯度経度と時刻ならびに追尾開始から測定までの速度変化グラフを表記したものを、その場でプリントアウトできることを特徴とするＧＰＳ速度取締り機。
【請求項２】
ＧＰＳ情報取得不能地域ならびに信頼性に欠く地域では警告表示・警告音等で示し従来通りの車速パルス信号のみで測定できるようにする。また液晶表示画面にＧＰＳ算出速度、車速パルス算出速度の二つのあわせた速度を表示し必要に応じてプリントアウトできる。
【発明の詳細な説明】
【技術分野】
【０００１】この発明は、ＧＰＳと車速パルスによる平均速度検知に関する。
【背景技術】
【０００２】従来の車速パルスによる速度検知に比べ、ＧＰＳによる速度検知またはＧＰＳと車速パルスの平均値で検知するため誤差がより少ない利点がある。
【発明の概要】
【発明が解決しようとする課題】
【０００３】現状の速度違反車輌の取締りではタイヤ外径と回転数により車速を割り出しているのでタイヤの磨耗による誤差、高速走行時における遠心力によるタイヤの膨張により誤差が生じることになる。そのため実況見分の際、問題が生じており正確な速度取締りに支障をきたしている。また取締り車輌の車輌速度計の定期的な修正が必要となっている。そこで、この発明は、従来の車速データ、ＧＰＳの検知速度、ＧＰＳの検知速度と車速パルスからのデータを平均化し、より誤差の少ない速度情報を提供することを課題とする。
【課題を解決するための手段】
【０００４】以上の課題を解決するために、第一発明は、ＧＰＳからの情報をもとに速度を検知する、また従来の車速パルスのデータとＧＰＳからの情報を平均値化して車速を表し、プリントアウトすることを特徴とするＧＰＳ車速取締り機である。
また、第二発明は、そのデータをグラフ化しプリントアウトすることにより明確に違反者に提示することで公正な取締りを行うことができることを特徴とするＧＰＳ速度取締り機である。
【発明の効果】
【０００５】第一発明、または第二発明によれば、ＧＰＳの検知速度と車速パルスからのデータを平均化し、より誤差の少ない速度情報で違反車を取り締まることができる。また、これまで取り締まることのできなかった違反者に対してこれらのデータをプリントした証拠を提示することで、より公正な取り締まりを行うことができる。２０１０年には日本独自の準天頂衛星も打ち上げられたので、より精密な測定になるものと期待できる。
【図面の簡単な説明】
【０００６】
【図１】この発明の一実施形態を示す構成図
【図２】測定結果プリントアウト例
【図３】外観略図例
【発明を実施するための形態】
【０００７】この発明の一実施形態を、図１に示す。
ＧＰＳ取締り機の本体は鉄製であり、この本体の前面にはデジタル表示部とプリントアウト排出部が一体的に設けられている。また前面に追尾開始スイッチ・測定開始スイッチ・判定モード（車速センサーのみ）切替えスイッチ・従来どおりの調節つまみをそなえる。測定開始スイッチを押すと追尾モードを同時に終了する。
【図１】
2012138051.tif 000003
【図２】
2012138051.tif 000004
【図３】
2012138051.tif 000005
(57)【要約】【課題】  パソコン等のキーボードを操作する上で、文字記号の是非を確認するためディスプレーに目をやるが、そのため目線をキーボードとディスプレーとの間を、上へ下へと頻繁にやることで目の疲労を招いたり、且つ目線をキーボードから大きく離すことが頻繁なほど、パソコンの操作効率を悪くする原因にもなっていた。【解決手段】  入力位置の始まりにカーソルを合わせた後の、ディスプレーに表示される１行ほどの文字記号等の是非を確認するための横長表示画面をキーボード上方に設け、それによって、角度を変えて立ち上がるディスプレーに目をやる頻度を大幅に少なくする。【選択図】図１
2012138053.tif 000002
【特許請求の範囲】
【請求項１】
図１に示す様、コンピュータ、ワープロ等のキーボードの上方部に、入力前の文字記号等の是非を確認をするための横長表示画面（３）を設ける方法。
【発明の詳細な説明】
【技術分野】
【０００１】  本発明は、コンピュータのキーボードに関するものである。
【発明の概要】
【発明が解決しようとする課題】
【０００２】  従来、キーボードのキーを打ち続ける上で、角度を起こしたディスプレー（表示画面）に頻繁に目線を上げることによる目の疲労や、それによる文字入力等の効率を著しく悪くする原因となっている。
【課題を解決するための手段】
【０００３】  本発明は、図１に示す様、上方部ファンクションキー（１）とその手前の一般キー（２）の間に、キー打ち込みによる入力前の文字記号等の是非確認のための、１行分ほどの横長表示画面（３）を設ける。
【発明の効果】
【０００３】  上記説明の横長表示画面を設けたことによって、キーを打ち込みながらの目線で入力前の文字記号等の是非確認が出来、従来の様に、キーボードとディスプレーの間を、頻繁に目線を上げ下げすることが大幅に無くなる。それによって目の疲労を減少させ、文字入力の効率が著しく良くなり、誤字脱字等も減少させることが出来る。
【図面の簡単な説明】
【０００４】
【図１】  本発明を示すコンピュータ等のキーボード平面図
【符号の説明】
【０００５】  １  上方部ファンクションキー
２  一般キー
３  横長表示画面
【図１】
2012138053.tif 000003
(57)【要約】【課題】  依頼者が商店等のお店の中を手に取るように分かり、品物を自由に選ぶことが出来る買い物の代行の仕事をつくる。【解決手段】  パソコンや携帯電話のカメラを使い、お店の中の画像を相手に送り、自由に選んでショッピング出来るようにした。【選択図】図１
2012138055.tif 000002
【特許請求の範囲】
【請求項１】
新聞の折り込みチラシやインターネット等で宣伝し、人を集めてスーパーマーケットや商店等を歩いて携帯電話やパソコン等のカメラで相手に画像を送って商品を選んでもらい、相手に代わって買い物をし、相手に荷物を発送することを仕事とするビジネスモデル特許。
【発明の詳細な説明】
【発明の詳細な説明】
【技術分野】
【０００１】  本発明は、パソコンや携帯電話等のカメラを使って相手にスーパーマーケット等の商品の画像を送り選んでもらい、相手に代わって買い物をし発送するビジネスモデル特許に関するものである。
【背景技術】
【０００２】  従来、買い物代行等は、直接依頼者に注文を聞いてメモしたり、携帯電話で口頭で商品の値段等を伝えて、選んでもらい、買い物を相手に代わってして、買った物を直接手渡ししていた。
【発明を実施するための形態】
【０００３】  本発明は、携帯電話やパソコンのカメラを使って、お店の商品の画像を依頼者に送って選んでもらい、代わって買い物をし、発送することを可能にしたビジネスモデル特許である。
【発明の効果】
【０００４】  このようにすれば、依頼者はお店の中の商品を手に取るように知ることが出来、選ぶ楽しさも生まれ、あたかも家にいながら、お店でショッピングをしているような楽しさを味わうことが出来、大変便利である。
【図面の簡単な説明】
【図１】  本発明を図にしたものである。
【符号の説明】  １  買い物代行人
２  店の商品
３  買う人
【図１】
2012138055.tif 000003
(57)【要約】【課題】  本発明は、区分けしたカレンダーの容器に、月、日、曜日、行事等を記入したカードをカード収納部に入れ、１月１日から、カードを順序よく重ねて入れ、指先で毎日カードを入れ替えて、当日を表示できるように工夫した日替わりカレンダーを提供する。【解決手段】  日替わりカレンダー本体に、月のカード収納部（１ａ）、日のカード収納部（２ａ）、曜日のカード収納部（３ａ）、行事のカード収納部（４ａ）、メモのカード収納部（５ａ）を設け、各カード収納部に引き抜き穴（６）を設け、本体に透明蓋（１０）を設け、本体の右側面に開閉蓋（７）を設け、月のカード（１ｂ）、日のカード（２ｂ）、曜日のカード（３ｂ）、行事のカード（４ｂ）、メモのカード（５ｂ）を組み合わせたことを特徴とした日替わりカレンダー。【選択図】図１
2012081719.tif 000002
【特許請求の範囲】
【請求項１】
日替わりカレンダー本体に、月のカード収納部（１ａ）、日のカード収納部（２ａ）、曜日のカード収納部（３ａ）、行事のカード収納部（４ａ）、メモのカード収納部（５ａ）を設け、各カード収納部に引き抜き穴（６）を設け、本体に透明蓋（１０）を設け、本体の右側面に開閉蓋（７）を設け、月のカード（１ｂ）、日のカード（２ｂ）、曜日のカード（３ｂ）、行事のカード（４ｂ）、メモのカード（５ｂ）を組み合わせたことを特徴とした日替わりカレンダー。
【発明の詳細な説明】
【技術分野】
【０００１】  本発明は、収納部を４つに区分けしたカレンダーの容器に、月、日、曜日、行事などを記入したカードをカード収納部に入れ、１月１日から、カードを順序よく重ねて入れ、指先で毎日、カードを入れ替えて、当日を表示できるように工夫した日替わりカレンダーに関するものである。
【背景技術】
【０００２】  従来、曜日毎のカレンダーや日めくりカレンダー、たとえば、家族の誕生日、免許の更新日、保険の満期日、学校の行事等、日時を最初から印刷したカレンダーがあった。
又はカレンダーに記入し、何年も保存できるもの、折り畳んで行事の移し替えを省くもの等があったが、一定の容器で日々を表示し、何年も使用できるカレンダーはなかった。
【先行技術文献】
【０００３】
【特許文献１】  特開平９−１９５５号公報
【特許文献２】  特開平９−２５４５６８号公報
【発明の概要】
【発明が解決しようとする課題】
【０００４】  従来のカレンダーは、前以て印刷したり、めくったりしていた、備忘のために考えたものである。
【課題を解決するための手段】
【０００５】  日替わりカレンダーの本体に、月のカード収納部（１ａ）、日のカード収納部（２ａ）、曜日のカード収納部（３ａ）、行事のカード収納部（４ａ）、メモのカード収納部（５ａ）を設け、各カード収納部に引き抜き穴（６）を設け、本体に透明蓋（１０）を設け、本体の右側面に開閉蓋（７）を設け、月のカード（１ｂ）、日のカード（２ｂ）、曜日のカード（３ｂ）、行事のカード（４ｂ）、メモのカード（５ｂ）を組み合わせる。
以上のように構成された日替わりカレンダー。
【発明の効果】
【０００６】  日替わりカレンダーを家族全員が見やすい食卓か、壁掛けにすれば、家族の予定表を当日、忘れることもなく、充実した毎日を過ごせる。
又日を変える人にとっては、頭の体操になる。
【図面の簡単な説明】
【０００７】
【図１】  本発明の使用状態を示した斜視図である。
【図２】  本発明の区分けした容器やカードの厚さを示した側面図である。
【図３】  本発明の日替わりカレンダーが表示する月日の一例と、透視蓋を開いた正面図である。
【発明を実施するための形態】
【０００８】  以下本発明の実施の形態を説明する。
日替わりカレンダー本体に、月のカード収納部（１ａ）、日のカード収納部（２ａ）、曜日のカード収納部（３ａ）、行事のカード収納部（４ａ）、メモのカード収納部（５ａ）を設ける。
各カードやメモには、その右裏側に爪で一枚を抜き出せるよう、穴を設ける。
カード収納部に引き抜き穴（６）を設け、本体上部に透明蓋（１０）を設ける。
各カード収納部と月のカード（１ｂ）、日のカード（２ｂ）、曜日のカード（３ｂ）、行事のカード（４ｂ）、メモのカード（５ｂ）を組み合わせる。
透明蓋（１０）に透明蓋留具（１１）を設ける。
開閉蓋（７）に開閉蓋留具（９）を設ける。
本体に出し入れ自由金具（１２）、壁掛け用穴（１３）を設ける。
以上のように構成された日替わりカレンダーである。
月のカード（１ｂ）には、１年分の月のカード収納部（１ａ）に１２枚を入れる。
日のカード（２ｂ）には、１カ月分の日のカード収納部（２ａ）に３１枚を入れる。
曜日のカード（３ｂ）には、１週間分の曜日のカード収納部（３ａ）に７枚を入れる。
行事のカード（４ｂ）、メモのカード（５ｂ）には、行事のカード収納部（４ａ）、メモのカード収納部（５ａ）には、カードやメモ用紙を入れる。
本発明を使うときは、たとえば、９月２３日に日替わりカレンダーを設置した場合、指先（８）で、１月から、２月、３月、４月、５月、６月、７月、８月、９月まで順に右側開閉蓋を開いて各々最下位のカードを引き抜いて、その最上位に上乗せする。
日も、１日から順に２３日まで、月と同じようにする。
何も行事のない日は、メモの白紙を上に乗せる。
例えば、家族のだれかの、誕生日、結婚記念日、学校行事等は、行事表に併記するか、メモに記入し上乗せして表示する。
【符号の説明】
【０００９】１ａ  月のカード収納部
１ｂ  月のカード
２ａ  日のカード収納部
２ｂ  日のカード
３ａ  曜日のカード収納部
３ｂ  曜日のカード
４ａ  行事のカード収納部
４ｂ  行事のカード
５ａ  メモのカード収納部
５ｂ  メモのカード
６    引き抜き穴
７    開閉蓋
８    指先
９    開閉蓋留具
１０  透明蓋
１１  透明蓋留具
１２  出し入れ自由金具
１３  壁掛け用穴
【図１】
2012081719.tif 000003
【図２】
2012081719.tif 000004
【図３】
2012081719.tif 000005
(57)【要約】【課題】ケーブル配線の貫通部の防火構造においては、床の開口部内を貫通するケーブルの周囲にロックウール等による耐火充填材を詰め、防火区画体の上下にケイ酸カルシウム製板による耐火仕切り板を配置し、その後、上下の耐火仕切り板をアンカーボルトで防火区画体に固定し、ケーブルと耐火仕切り板との間の隙間に耐火パテを詰めてシールを施す構造が知られている。この方法で工事をしている場合は、ケーブルの増設・変更時には、既設の耐火仕切板を取外し、ケーブルの増設、変更を行うという手間がかかっていた。【解決手段】開口穴内壁寸法と同一内側寸法を有する躯体断面外フランジダクトの端部に支持金物を備え、ケーブル貫通切り欠き処理をほどこした耐火板を、支持金物に敷設し、開口内壁とケーブル間の隙間に、耐火ブロックを充填する。【選択図】図１
2012081175.tif 000002
【特許請求の範囲】
【請求項１】
ケーブルダクト内に配設されたケーブルが、区画を貫通するケーブル貫通部の防火構造において、開口穴内壁寸法と同一内側寸法を有する躯体断面外フランジダクトの端部に支持金物を備え、ケーブル貫通切り欠き処理をほどこした耐火板を、支持金物に敷設し、開口内壁とケーブル間の隙間に、耐火ブロックを充填したことを特徴とする防火区画処理構造
【発明の詳細な説明】
【技術分野】
【０００１】
本発明は、電気工事、電力ケーブルの現場施工に関するもので、建築物の防火区画で床や壁を貫通するケーブル配線の貫通部の防火構造に関する。
【背景技術】
【０００２】
近年、建物の大型化、高層化により、電力ケーブル等が大量に使用されるようになってきた。それに伴い電力ケーブルに係る火災発生の危険性が高まっている。ケーブル火災は、ケーブル線路に沿って燃え広がる。防火区画の壁・床をケーブルが貫通する場合は、その貫通部にも防火対策措置が必要になる。もし、ケーブル貫通部に防火対策措置がとられていないと、建物の一部で起きた火災がケーブルを伝わって一面に広がってしまう危険があるために、建築基準法には火災の拡大や煙の伝播を防ぐための、防火区画を設けることが規定されている。
【０００３】
従来から、ケーブル配線の貫通部の防火構造においては、床（防火区画体）の開口部内を貫通する長尺体（ケーブル）の周囲にロックウール等による耐火充填材を詰め、防火区画体の上下にケイ酸カルシウム製板（ケイカル板）による耐火仕切り板を配置する。その後、上下の圧板耐火仕切り板をアンカーボルトで防火区画体に固定し、ケーブルと耐火仕切り板との間の隙間に耐火パテを詰めてシールを施す構造が知られている。
【先行技術文献】
【特許文献】
【０００４】
【特許文献１】特開平３−２４１８３
【発明の概要】
【発明が解決しようとする課題】
【０００５】
前述した従来からの処理構造では、周辺機器等の増設に伴い、ケーブルの増設や変更の必要が生じたときに、ケーブルダクトのねじをはずし、ロックウール、耐火仕切り板等の防火措置用部品を取り除いた後で増設、変更工事を行っていた。しかも、それらの引替え工事には、通常数日かかる。又、工事の規模によっては、数週間かかることもあるため、その工事期間中は貫通口が開放状態になっている。従って、その状態で火災が発生すると、この貫通口から煙が吹き抜け、火災が広がるおそれがあった。さらに耐火板としてのケイ酸カルシウム板は強度的にもろく、締め付け管理が難しいという課題があった。
【課題を解決するための手段】
【０００６】
本発明は上記課題を解決する為に、ケーブルダクト内に配設されたケーブルが、区画を上下に貫通するケーブル床貫通部の防火構造において、開口穴内壁寸法と同一内側寸法を有する躯体断面外フランジダクトの端部にコの字型支持金物を備え、ケーブル貫通切り欠き処理をほどこした耐火板を、コの字型支持金物に敷設し、開口内壁とケーブル間の隙間に、防火区画処理材料としてロックウール製充填材のグラファイト系熱膨張材の耐火ブロックを適用し、耐火ブロックは、火災発生時には熱により膨張し、開口とケーブルの隙間を防ぐ構成とした。
【発明の効果】
【０００７】
本発明によれば、耐火仕切板にケイ酸カルシウム板を使用しないので、強度が強く割れる心配が低減される。さらにケイ酸カルシウム板を加工する電動工具が不要となり粉埃や、騒音がでない。又、ダクトの点検扉から、耐火ブロック、耐火板を取り外す事が出来、ケーブルの点検作業や増設作業が容易になる。ロックウールを使用しないので粉塵飛散の心配がなくなり、さらに床側からの施工が出来、高所作業が不要となるので、安全性が高まる。
【図面の簡単な説明】
【０００８】
【図１】図１は本発明の構造図である。
【図２】図２は本発明の防火区画貫通部処理図
【図３】図３は本発明のケーブルダクト断面図
【発明を実施するための形態】
【０００９】
以下本発明の実施例を図に従って説明する。
【実施例】
【００１０】
本発明の一実施例を図１示す。開口穴の内壁寸法と同一の内側寸法を有する躯体断面外フランジ構造（１ａ）のケーブルダクト（１）の、端部にコの字型支持金物（２）を両端と真ん中に３個取り付ける。本実施例では、コの字型支持金物（２）を３個用いたが、個数は、３個に限定されず、ケーブルダクト（１）の大きさを鑑み随時きめればよい。ケーブルが貫通できるように切り欠き処理を施した耐火板（３）を前記コの字型支持金物（２）に敷設する。前記切り欠き処理を施した耐火板にケーブル（５）を通し、開口内壁と前記ケーブル間の隙間に、グラファイト系熱膨張材の耐火ブロック（４）を隙間の無いように詰める（図３）。前記耐火ブロックは、火災発生時の熱膨張により、開口部とケーブル間の隙間を塞ぐ効果を有する。
【符号の説明】
【００１１】
１    ケーブルダクト
１a  フランジ
１ｂ  点検扉
２    コの字型金具
３    耐火板
３a  切り欠き処理
４    耐火ブロック
５    ケーブル
【図１】
2012081175.tif 000003
【図２】
2012081175.tif 000004
【図３】
2012081175.tif 000005
(57)【要約】【課題】  紙からステイプラーの針を取り外したとき、放置あるいは飛散しないように、ステイプラー本体の一端にマグネットを設けたマグネットつきステイプラーを提供する。【解決手段】  ステイプラー本体（１）の一端に溝（２）を設け、溝（２）にマグネット（３）を設けたマグネットつきステイプラーを特徴とする。【選択図】図１
2012081571.tif 000002
【特許請求の範囲】
【請求項１】
ステイプラー本体（１）の一端に溝（２）を設け、溝（２）にマグネット（３）を設けたマグネット付きステイプラー。
【発明の詳細な説明】
【技術分野】
【０００１】  この発明は、ステイプラーの一端にマグネットを設けたマグネット付きステイプラーに関するものである。
【背景技術】
【０００２】  従来、ステイプラーとマグネットは別々の用途になっていた。
【発明の開示】
【発明が解決しようとする課題】
【０００３】  これは次のような欠点があった。
従来、紙を綴じているステイプラーの針をステイプラー付属の取外部分を用いて外したとき、針は放置されるか飛散してしまうこと多かった。放置され又は飛散した針は机上では紙面に凸部を作り筆記に支障を来たし、ＰＣのキーボードの溝に挟まっては機能を乱し、床に落ちた場合には乳幼児を誤飲の危機にさらし、カーペットに喰い込んでは掃除を困難にしてしまうことが多かった。
本発明は、以上のような欠点をなくすためになされたものである。
【課題を解決するための手段】
【０００４】  ステイプラー本体（１）の一端に溝（２）を設け、溝（２）にマグネット（３）を設ける。
本発明は、以上の構成よりなるマグネット付きステイプラーである。
【発明の効果】
【０００５】  マグネットが内蔵されているので、紙から取り外したステイプラー針を即座に吸着でき、放置あるいは飛散により発生する様々なアクシデントを防止できる。また纏めて廃棄できるのでいちいちゴミ箱を探す手間も省ける。別に、ゼムクリップ等をマグネットに予め吸着させておけば、紙の綴じ方を変更することもできる。一方、鉄製ボード等にステイプラーを吸着させることにより、掲示物の押さえにもまた自身の収納にも繋がる。
【発明を実施するための最良の形態】
【０００６】  以下、本発明を実施するための最良の形態について説明する
ステイプラー本体（１）の底部の一端に、溝（２）を設ける。
溝（２）に合わせたマグネット（３）を差し込む。
溝（２）にマグネット（３）をかしめ、或いは接着することでステイプラー本体（１）に固定する。
本発明は、以上のような構造である。
これを使用するときは、ステイプラー本体と一体になったこのマグネットで、取り除いたステイプラー針を吸着すればよい。
【図面の簡単な説明】
【０００７】
【図１】本発明の斜視図である。
【図２】本発明の部分拡大図である。
【符号の説明】
【０００８】  １  ステイプラー本体
２  溝
３  マグネット
【図１】
2012081571.tif 000003
【図２】
2012081571.tif 000004
(57)【要約】      （修正有）【課題】僅かな段差ならば、スムーズに乗り降りができる車椅子等の補助車輪を提供する。【解決手段】補助車輪の両側に扇型の段差通過用のプレート２を設ける。扇型プレート２の円弧状の外周縁部の半径は補助車輪１の半径より極力大きくし、その外周縁部は補助車輪１の接地面より僅かに浮かして、通常の走行時には地面との隙間を設けておく。また、段差に乗り上げる直前に、補助車輪１自体が段差に対して斜めに回転しないように、補助車輪１の両側に扇型プレート２を設け、段差の角部に同時に当たる構造であることを特徴とする車椅子等の補助車輪。【選択図】図１
2012081941.tif 000002
【特許請求の範囲】
【請求項１】
補助車輪の両側に前記補助車輪の車軸と隔たる位置に扇型のプレートを軸着したことを特徴とする段差通過支援構造の補助車輪。
【発明の詳細な説明】
【技術分野】
【０００１】  本発明は、車椅子等の補助車輪に関するものである。
【背景技術】
【０００２】  従来、車椅子は段差を通過する場合には、僅かな段差でもそのまま乗り越えられないことが有った。その為、段差を通過する際には、介助者が車椅子の補助車輪部を持ち上げたり、車椅子を後ろ向きに反転させて車輪径の大きい主車輪を前方にして段差を通過していた。
【先行技術文献】
【０００３】
【発明の概要】
【発明が解決しようとする課題】
【０００４】  車椅子の補助車輪は一般的に車輪径が小さいため、僅かな段差の乗り降りでも不便を感じていた。
従って、本発明が解決しようとする課題は、段差の通過が極めて容易な車椅子の補助車輪を提供することである。
【課題を解決するための手段】
【０００５】  補助車輪の両側に扇型の段差通過用のプレートを設ける。
扇型プレートの円弧状の外周縁部は補助車輪の半径より極力大きくし、その外周縁部は補助車輪の接地面より僅かに浮かして、通常の走行時には地面との隙間を設けておく。
また、段差に乗り上げる直前に、補助車輪自体が段差に対して斜めに回転しないように、扇型プレートは補助車輪の両側に設け、段差の角部に同時に当たる構造とする。
以上の構成よりなる車椅子等の補助車輪。
【発明の効果】
【０００６】  段差の乗り降りを容易にするために、補助車輪の車軸と隔たる位置に扇型プレートを軸着している。
このため、補助車輪が段差の角に突き当たった際、扇型プレートの円弧状の外周縁部は地面から若干離れて融通性を備えており、しかも扇型プレートの円弧状の外周縁部から軸までの距離は、補助車輪の外周縁部から軸までの距離に比較して長く設定することが出来る。
従って、扇型プレートは極めて容易に段差を乗り上げることが可能になる。
例えば、扇型プレートと同様の作用、乗り越え効果を期待する車輪を設けるとすれば、扇型プレートの倍の大きさが必要となり、製造コストや使い勝手を脅かす結果となることは明白である。
従って、段差の通過が極めて容易な車椅子の補助車輪を提供することが出来る。
【図面の簡単な説明】
【０００７】
【図１】本発明の車椅子等の段差通過支援構造の補助車輪を示す斜視図
【図２】本発明の車椅子等の段差通過支援構造の補助車輪を示す平面図
【図３】本発明の車椅子等の段差通過支援構造の補助車輪を示す正面図
【図４】本発明の車椅子等の段差通過支援構造の補助車輪を示す側面図
【発明を実施するための形態】
【０００８】以下、本発明の実施の形態を説明する。
（イ）補助車輪（１）の両側面に扇型プレート（２）を補助車輪（１）と同じ向きに回転      できるように設ける。
扇型プレート（２）の形状は、円弧状の外周縁部が、擬似車輪（６）となるような      、補助車輪（１）の半径より極力大きな半径とする。
（ロ）補助車輪の本体フレーム（３）の両側面には、扇型プレート（２）が回転できるよ      うに取付けられる軸（４）を設ける。
（ハ）扇型プレート（２）の取り付け高さは、円弧状の外周縁部が地面から僅かに浮く高      さとする。
（二）車椅子の補助車輪は、進行方向を妨げない自由車輪（車輪の回転中心軸と、補助車      輪自体の回転中心がずれている車輪）を使用している。
その為、扇型プレート（２）が、補助車輪（１）のどちらか片側だけにあると、段      差（７）を乗り上げる時に、その段差（７）の角部に補助車輪（１）より先に扇型      プレート（２）が先に当たり補助車輪（１）自体が回転してしまうために、補助車      輪（１）自体が段差（７）に対して直角に当たる事ができず、段差（７）に乗り上      げられなくなる。
それを回避するため、補助車輪（１）の両側に扇型プレート（２）を設けて、段差      （７）の角部に両側の扇型プレート（２）が同時に当り、補助車輪（１）自体が回      転しないようにしている。（図２）
本発明は以上のような構造である。
段差がない平坦な路面を走行する場合は、補助車輪（１）のみが床・地面（５）に接地し、通常の走行を行う。
段差（７）に差し掛かると、補助車輪（１）が段差（７）の角部に当たる直前に、扇型プレート（２）の円弧状の外周縁部が先に段差（７）の角部に当たり、（図２）（図４）扇型プレート（２）は、軸（４）を中心に車輪の役目をして段差（７）を乗り上げる。段差（７）を乗り上げた後は、再び補助車輪（１）のみが床・地面（５）に接地して通常の走行をする。
段差（７）を降りる場合は、補助車輪（１）が先に段差（７）の角部に到達するが、補助車輪（１）が段差（７）を降り始めた直後に扇型プレート（２）が段差（７）の角部に当たり、その後は扇型プレート（２）が車輪の役目をして段差（７）を降りる。段差（７）を降りた後は、再び補助車輪（１）のみが床・地面（５）に設置して通常の走行をする。（図３）
また、この構造は車椅子以外の手押し台車等の車輪にも使用することが出来る。
【符号の説明】
【０００９】  １  補助車輪
２  扇型プレート
３  補助車輪の本体フレーム
４  軸
５  床・地面
６  擬似車輪
７  段差
【図１】
2012081941.tif 000003
【図２】
2012081941.tif 000004
【図３】
2012081941.tif 000005
【図４】
2012081941.tif 000006
(57)【要約】【課題】突然の雨の洗濯物の取込み時や、雨上がりにベランダの置きっぱなしにしているサンダルを履くと足裏が濡れてしまう事が多々ある。又、炎天下では踏み面が熱くなったり、砂埃をかぶってしまう。  本発明は、ベランダや屋上などに置きっぱなしにする野ざらしサンダルを提供する。【解決手段】底板の上部に空間を保ちつつ、先端につま先かぶせを設け、残りの部分は、左右一対からなる甲かぶせを中央で合わせが立上がる様に設け、底板の上部を全て覆い、甲かぶせの中央合わせ部分に磁性体を利用した開閉手段を設け、その密着部分を上から長手方向に隙間蓋で覆い、底板の後部にかかと開口を設けることを特徴とする野ざらしサンダル。【選択図】図１
2012081217.tif 000002
【特許請求の範囲】
【請求項１】
底板の上部に空間を保ちつつ、先端につま先かぶせを設け、残りの部分は、左右一対からなる甲かぶせを中央で合わせが立上がる様に設け、底板の上部を全て覆い、甲かぶせの中央合わせ部分に磁性体を利用した開閉手段を設け、その密着部分を上から長手方向に隙間蓋で覆い、底板の後部にかかと開口を設ける野ざらしサンダル。
【発明の詳細な説明】
【技術分野】
【０００１】  本発明は、ベランダや屋上などに置かれる野ざらしサンダルに関するものである。
【背景技術】
【０００２】  従来、屋外に置きっぱなしになる野ざらしサンダルは、雨や炎天下にさらされ、踏み面が濡れたり、熱くなったり、埃がかぶったりしていた。
なお、サンダルが自立して雨に濡れにくくする物（特許文献１参照）や、サンダルの開口部にドーム状のカバーで開閉する物（特許文献２参照）はある。
【先行技術文献】
【特許文献】
【０００３】
【特許文献１】  特許公開２００１−２９９４０１
【特許文献２】  特許公開２００６−５９８
【発明の概要】
【発明が解決しようとする課題】
【０００４】  突然の雨の洗濯物の取込み時や、雨上がりにベランダの置きっぱなしにしているサンダルを履くと足裏が濡れてしまう事が多々ある。又、炎天下では踏み面が熱くなったり、砂埃をかぶってしまう。
本発明は、以上の問題点を解決する為になされたものである。
【課題を解決するための手段】
【０００５】  底板の上部に空間を保ちつつ、先端につま先かぶせを設け、残りの部分は、左右一対からなる甲かぶせを中央で合わせが立上がる様に設け、底板の上部を全て覆い、甲かぶせの中央合わせ部分に磁性体を利用した開閉手段を設け、その密着部分を上から長手方向に隙間蓋で覆い、底板の後部にかかと開口を設ける。
以上の構成によりなる野ざらしサンダル。
【発明の効果】
【０００６】  従来、雨天や炎天下などの天候によって、サンダルの踏み面に対し足裏が不快に感じていたが、本発明により足裏の不快を解消する事ができる。
【図面の簡単な説明】
【０００７】
【図１】  本発明の斜視図
【図２】  本発明の断面図
【図３】  本発明の側面図
【図４】  本発明の使用状態を示す斜視図
【発明を実施するための形態】
【０００８】  以下、本発明の実施の形態を説明する。
（イ）底板（１）の上部に空間（４）を保ちつつ、つま先かぶせ（２）と左右一対からなる甲かぶせ（３）の３面で、ドーム型に全て覆う。
（ロ）底板（１）は楕円形で、本体に少々重みをもたせ、２ｃｍ以上の厚みを設ける。又、底板（１）の上面は長手方向の断面形状が平面とし、底面はギザギザ模様の溝（１２）を設ける。
（ハ）つま先かぶせ（２）は、底板（１）の１／３以上の大きさで設ける。
（ニ）甲かぶせ（３）は、開閉が出来る様に中央で左右の合わせが立上がる様に設ける。又、甲かぶせ（３）は底板（１）の後部から１ｃｍ程度の出っ張り部（１１）を設け、親指と人差し指が入る位の大きさで三角形のかかと開口（５）を設ける。
（ホ）甲かぶせ（３）の合わせ部分は、長手方向の先端から２ｃｍ位を接着（８）し、残りは磁性体を利用した開閉手段を設ける。
（ヘ）磁力の強い単体の磁性体（６）は両末端と、その間を任意間隔で例えば３ｃｍ位に数箇所に埋め込み配置する。又、磁力の弱いシート状の磁性体（７）は単体の磁性体（６）の上に重なる様に長く全面に設け、合わせ部分を平らに密着性を高める様に設ける。
（ト）甲かぶせ（３）の合わせ部分の、接着（８）面及びシート状の磁性体（７）面の上部の隙間（９）と、甲かぶせ（３）の厚みが覆う様に幅を持たせた隙間蓋（１０）を、上からかぶせる様に長手方向を全面に設ける。
本発明は以上のような構造である。
本発明を使用するときは、かかと開口（５）に足の指を差込み、甲かぶせ（３）の中央の合わせ部分を開き、そのまま足をつま先かぶせ（２）の方向にすべらせサンダルを履く。また、脱いだ後は甲かぶせ（３）の中央の合わせ部分にある磁力の強い単体の磁性体（６）で左右に開いた甲かぶせ（３）を引き寄せ、磁力の弱いシート状の磁性体（７）で合わせ部分全体を密着し自然に閉じる。手を使わずに使用でき、甲かぶせ（３）は底板（１）の後部から出っ張り部（１１）を設ける事で、雨・熱・埃から守り、また少々重みのある底板（１）の為、風に飛ばされづらい。
【符号の説明】
【０００９】１  底板、２  つま先かぶせ、３  甲かぶせ、４  空間、５  かかと開口、６  単体の磁性体、７  シート状の磁性体、８  接着、９  隙間、１０  隙間蓋、１１  出っ張り部、１２  溝
【図１】
2012081217.tif 000003
【図２】
2012081217.tif 000004
【図３】
2012081217.tif 000005
【図４】
2012081217.tif 000006
(57)【要約】【課題】従来の丸皿にあっては、加熱容器を中央に設置できなかったり、それに加えて容器の端部がつかえてしまったりした為、過熱が片寄ってしまう事があり、加熱容器の底部形状においては、設置する際にキズが入ってしまう事があった。【解決手段】本発明は、上記問題点を解決するために成されたもので、前記にあげられた丸皿の上に敷く円形の耐熱素材で出来たシート状の物で、表面に印された十字の直線と、その直線中心より端部にかけて指示される複数の目盛線、及び同加熱容器の形状に応じた複数の円あるいは四角の形状線を設けることにより、中央部に設置する事が出来る。【選択図】  図３
2012081212.tif 000002
【特許請求の範囲】
【請求項１】
そして、本発明は上記目的を達成する為、丸皿の上面に敷いて使用する円形の弾性を備えた耐熱素材で出来たシート状の物で、片面あるいは両面の何れかの表面に、加熱容器を中心部に設置する為の中心を垂直に交差する十字の直線が設けられ、同十字の直線中心より端部にかけて指示される複数の目盛線、及び同加熱容器の形状に応じた複数の円あるいは四角の形状線が設けられた、設置指示線を有する目盛付きレンジ皿シート。
【発明の詳細な説明】
【技術分野】
【０００１】
本発明は、一般に使用されるレンジ庫内にある、回転する丸皿に敷くシートに関する。
【背景技術】
【０００２】
従来、レンジで加熱する際には対象となる加熱容器を、回転する丸皿中央に設置しようとするが、中心よりずれた際には加熱が片寄ったり、また対象となる加熱容器が大きな場合は、容器の端部がレンジ庫内の内壁に接触して、回転が妨げられていた。
また、加熱容器においては底部が硬かったり、ざらついていたりして、丸皿の表面にキズが入る恐れがあった。
【発明の概要】
【発明が解決しようとする課題】
【０００３】
従来の丸皿にあっては、加熱容器を中央に設置できなかったり、それに加えて容器の端部がつかえてしまったりした為、過熱が片寄ってしまう事があった。
また加熱容器の底部形状においては、設置する際にキズが入ってしまう事があった。
【０００４】
本発明は、上記問題点を解決するために成されたもので、加熱容器を丸皿の中央に設置する事が出来て、設置する際にキズが入るのを防ぐ目盛付きレンジ皿シートを提供するものである。
【課題を解決するための手段】
【０００５】
そして、本発明は上記目的を達成する為、丸皿の上面に敷いて使用する円形の弾性を備えた耐熱素材で出来たシート状の物で、片面あるいは両面の何れかの表面に、加熱容器を中心部に設置する為の中心を垂直に交差する十字の直線が設けられ、同十字の直線中心より端部にかけて指示される複数の目盛線、及び同加熱容器の形状に応じて、複数の円あるいは四角の形状線が設けられた、設置指示線を有するものである。
【０００６】
上記第１の課題解決手段による作用は次の通りである。すなわち円形を有するシート状の表面に指示された複数の目盛線、及び複数の同加熱容器の形状に応じた円あるいは四角の形状線よりできた設置指示線にて、加熱容器を中心部に設置する事が容易に行える。
【発明の効果】
【０００７】
上述したように本発明の目盛付きレンジ皿シートは、あらかじめ丸皿の上に敷く事で中心部に加熱容器を設置し、均等な加熱を可能にすると供に容器の端部がレンジ庫内の内壁への接触や、丸皿の表面にキズが入ることを防止する目盛付きレンジ皿シートを提供出来る。
【図面の簡単な説明】
【０００８】
【図１】本発明を、上方より見た図
【図２】本発明において、丸皿に目盛付きレンジ皿シートが敷かれた状態を、上方より見た図
【図３】本発明において、丸皿に目盛付きレンジ皿シートが敷かれ、加熱容器が設置された状態の斜視図
【図４】本発明において、丸皿に目盛付きレンジ皿シートが敷かれ、加熱容器が設置された状態を正面より見た断面図
【図５】本発明において、丸皿に目盛付きレンジ皿シートが敷かれ、加熱容器が設置された状態を側方より見た断面図
【発明を実施するための形態】
【０００９】
以下、本発明の実施の形態を図１〜図５に基づいて説明する。
【００１０】
図１において、目盛付きレンジ皿シート１は、円形の弾性を備えた耐熱素材で出来ており、表面には複数の目盛線３と複数の形状線４より構成された、設置指示線２が設けられている。
【００１１】
設置指示線２によって中心が容易に解り、さらに複数の目盛線３によって通常に使用される大きさの物は、より中心に設置することが容易となる。
【００１２】
図２は、丸皿５に目盛付きレンジ皿シート１が敷かれた状態を示している。
【００１３】
図３は、目盛付きレンジ皿シート１に置かれた加熱容器６が、複数の形状線４によって中央へと設置された状態を示している。
【００１４】
図４は、図３の正面からの断面図で、複数の形状線４によって中央へと設置された状態を示している。
【００１５】
図５は、図３の側方からの断面図で、複数の形状線４によって中央へと設置された状態を示している。
【符号の説明】
【００１６】
１、目盛付きレンジ皿シート
２、設置指示線
３、複数の目盛線
４、複数の形状線
５、丸皿
６、加熱容器
【図１】
2012081212.tif 000003
【図２】
2012081212.tif 000004
【図３】
2012081212.tif 000005
【図４】
2012081212.tif 000006
【図５】
2012081212.tif 000007
(57)【要約】【課題】従来ある電動車いすでは、障害の重い者にとって決して操作しやすいものではなかった。それは、座位姿勢は覚醒レベルを高めにくく、頭部のコントロールが難しく、また上肢でのジョイスティック操作が困難なためである。【解決手段】立位姿勢を保持するために、テーブル、胸当て、サドルを有する歩行器の後輪に電動ユニットを取り付ける。簡単に操作できるスイッチをテーブル上に取り付ける。この電動式歩行器を使用すれば、実用的な移動手段を持たない障害の重い者でも、覚醒レベルを高めやすく、頭部のコントロールや上肢の操作を行いやすい立位姿勢で、簡単なスイッチを押すことで移動することが達成できる。【選択図】図１
2012081220.tif 000002
【特許請求の範囲】
【請求項１】
立位姿勢で操作することを特徴とする電動式歩行器。
【請求項２】
簡単なスイッチ操作で進むことができる請求項１記載の電動式歩行器。
【発明の詳細な説明】
【技術分野】
【０００１】  本発明は、実用的な移動手段を有さない者でも、覚醒レベルを高めやすく、頭部のコントロールや上肢の操作を行いやすい立位姿勢で、スイッチを押すことで移動することができる電動式歩行器に関わるものである。
【背景技術】
【０００２】  歩行することが困難な障害をもつ者に対して、杖や歩行器などの歩行補助具、手動・電動式の車椅子が適応され、移動手段を確立している。【０００３】  しかし、より障害が重く、電動式の車椅子の操作さえ困難な者も多くいる。実用的な移動手段を持たないＧＭＦＣＳレベルＩＶ・Ｖに相当する者の中には、一生移動することを経験できない者もいる。【０００４】  電動式の車椅子は、車椅子に取り付けられた電動ユニットを、座位で、ジョイスティックを操作して移動する。障害が重い者にとって、座位姿勢は覚醒レベルを高めにくく、頭部のコントロールが難しく、また上肢での操作も困難となっている。【０００５】  座位に比べ、覚醒レベルを高めやすく、頭部のコントロールが行いやすく、また上肢での操作が行いやすい立位姿勢で、ジョイスティックよりも簡単なスイッチ操作で移動できる電動式の歩行器があれば、障害が重い者でも移動することを達成できる。
【先行技術文献】
【特許文献】
【０００６】
【特許文献１】  特開２０１０−２２４３５
【特許文献２】  特願２００２−５９６５
【非特許文献】
【０００７】
【非特許文献１】  ｈｔｔｐ：／／ｗｗｗ．ｉｍａｓｅｎｇｉｋｅｎ．ｃｏ．ｊｐ／ｅｍｃ／ｅｍｃ＿２４０＿２５０．ｈｔｍｌ
【非特許文献２】  ｈｔｔｐ：／／ｗｗｗ．ｙａｍａｈａ−ｍｏｔｏｒ．ｊｐ／ｗｈｅｅｌｃｈａｉｒ／ｃｏｍｐｌｅｔｅ／ａｃｔｉｖｅ／ｉｎｄｅｘ．ｈｔｍｌ
【発明の概要】
【発明が解決しようとする課題】
【０００８】  実用的な移動手段を持たない者でも、覚醒レベルを高めやすく、頭部のコントロールや上肢の操作を行いやすい立位姿勢で、スイッチを押すことで移動することができることを目的とする。
【課題を解決するための手段】
【０００９】  座位に比べ、覚醒レベルを高めやすく、頭部のコントロールが行いやすく、また上肢での操作が行いやすい立位姿勢を保持するために、テーブル、胸当て、サドル、足台を有する歩行器の後輪に電動ユニットを取り付ける。【００１０】  ジョイスティックよりも簡単に操作できるスイッチをテーブル上の個々の操作しやすい場所に取り付ける。
【発明の効果】
【００１１】  本発明は、姿勢を立位にしたことで、覚醒レベルを高めやすく、頭部のコントロールが行いやすく、また上肢での操作が行いやすいので、操作がしやすい。【００１２】  本発明は、簡単なスイッチ操作で進むため、移動を達成しやすい。【００１３】  本発明は、実用的な移動手段を持たない者でも移動することが達成できるため、動く感覚を効率よく学習でき、受け身的な日常に比べ自発的に活動できるチャンスを広げることができる。
【図面の簡単な説明】
【００１４】
【図１】  電動式歩行器の側方から見た外観図
【図２】  電動式歩行器の上方から見た外観図
【発明を実施するための形態】
【００１５】  以下、本発明の実施の形態を図１・２に基づいて説明する。
【００１６】  歩行器は４輪型で、前輪は自在キャスター式、後輪はスイッチ操作で駆動する電動ユニットを有するものである。
【００１７】  立位を保持するため、テーブル、胸当て、サドル、ベルトがフレームに取り付けられている。
【００１８】  テーブル上の個々の操作しやすい場所にスイッチが取り付けられている。
【産業上の利用可能性】
【００１９】  病院や学校、施設においてこの電動式歩行器の導入により、障害の重い者でも移動という活動を通して、リハビリテーションや教育に対する意欲・効果の向上が見込まれる。
【符号の説明】
【００２０】１  電動ユニット
２  キャスター
３  胸当て
４  ベルト
５  サドル
６  テーブル
７  スイッチ
【図１】
2012081220.tif 000003
【図２】
2012081220.tif 000004
(57)【要約】【課題】傘を畳んだ時に周囲を濡らすことがないように、ショッピングセンターなどに入る際に設けられている傘カバーを使う必要がないように、傘を畳み留めると同時に傘カバーをつけることができるように、傘に傘カバーを取り付けた傘カバー付き傘を提供する。【解決手段】傘布の骨に接している部分の１つに傘カバーを設け、傘カバーの傘布に接着していない側で持ち手側の端に輪を設け、傘布の中心に布製の水受けを設けたことを特徴とする傘カバー付き傘。【選択図】図１
2012081218.tif 000002
【特許請求の範囲】
【請求項１】
傘布の骨に接している部分の１つに傘カバーを設け、傘カバーの傘布に接着していない側で持ち手側の端に輪を設け、傘布の中心に布製の水受けを設けた傘カバー付き傘。
【発明の詳細な説明】
【技術分野】
【０００１】  この発明は、傘布の中心に布製の水受けを、傘布の骨に接した部分の１つに傘カバーを取り付け、傘を畳む際に傘カバーを濡れた面を内側にして巻いて留めることにより、傘を畳むと同時に濡れた面が外に出ないようにした傘カバー付き傘に関するものである。
【背景技術】
【０００２】  従来、傘を畳んだ時には濡れた面が外側になっていた。傘カバーは傘を畳んで留めた後に付ける必要があった。
【先行技術文献】
【０００３】
【特許文献１】特開２００５−２３７９０５号広報
【特許文献２】特開２００３−２５０６１５号広報
【特許文献３】特開２００２−２０９６１９号広報
【特許文献４】特開平１０−５７１２９号広報
【発明の概要】
【発明が解決しようとする課題】
【０００４】  これは、次のような欠点があった。
（イ）従来、濡れた面が外側だと服など周りのものを濡らしてしまい、困ることが多かった。
（ロ）ショッピングセンターなどに入る際には設けられている傘カバーを利用する必要があり、それを付ける際に手間がかかった。
（ハ）傘カバーは使い捨てなので資源も無駄になっていた。
本発明は、以上のような欠点をなくすためになされたものである。
【課題を解決するための手段】
【０００５】  傘布の骨に接した部分の１つに傘カバーを設け、傘カバーの傘布に接着していない側で持ち手側の端に輪を設け、傘布の中心に布製の水受けを設ける。
本発明は、以上の構成よりなる傘カバー付き傘である。
【発明効果】
【０００６】  濡れていない面が外側になるので周りのものを濡らさず、水受けがあるのでショッピングセンターなどに入る際に設けられている傘カバーを利用する必要がない。傘を畳み留めると同時に傘カバーを装着できる。
【図面の簡単な説明】
【０００７】
【図１】  本発明の傘を開いた状態を示す平面図である。
【図２】  本発明の傘を閉じた状態を示す正面図である。
【発明を実施するための形態】
【０００８】  以下、本発明を実施するための形態について説明する。
（イ）傘布（１）の骨（２）に接している部分の１つに傘カバー（３）を設け、傘カバー      （３）の傘布（１）に接着していない側で持ち手側の端に輪（４）を設ける。
（ロ）傘布（１）の中心に布製の水受け（６）を設ける。
本発明は、以上のような構造である。
本発明を使用する時は、傘（５）を開く際に、傘カバー（３）を接着した傘布（１）に接している骨（２）の隣の骨（２）の端に輪（４）を引っ掛ける。このとき傘カバー（３）は水受け（６）の内側になるようにする。傘（５）を閉じる際は、傘（５）を閉じた後、輪（４）を骨（２）より外し、傘（５）を開いて使用した際に内側だった面が外側にくるように傘カバー（３）を傘（５）に巻きつけて止める。水受け（６）があるため内側に残った水滴もこぼさない。
【符号の説明】
【０００９】１  傘布
２  骨
３  傘カバー
４  輪
５  傘
６  水受け
【図１】
2012081218.tif 000003
【図２】
2012081218.tif 000004
(57)【要約】      （修正有）【課題】手軽にリンゴジュースができる手動回転リング調理器を提供する。【解決手段】手動回転ハンドルで伝動歯車から調理器本体を回転させ、オロシ金でリンゴを擂り下ろし乍ら遠心分離により果汁と滓を同時に分離する。無給油で磨耗の無いプラスチツク軸受けの使用で調理器の安全と清潔を確保出来た。【選択図】図１
2012081216.tif 000002
【特許請求の範囲】
【請求項１】
リンゴ調理器でリンゴを回転させオロシ金でオロシ乍ら遠心分離装置で果汁と滓を分離する。
【発明の詳細な説明】
【技術分野】
【０００１】この発明は、リンゴを回転オロシ金でオロシ乍、果汁と滓を分離に関するものである。
【背景技術】
【０００２】従来の、リンゴジューサーは投入口が小さくて四つ割にしてもジューサーに入らん為使用不能であつた。そのため止むを得ずリンゴをオロシ金で下してから布で搾り果汁と滓を分けていた。
【発明の開示】
【発明が解決しようとする課題】
【０００３】これはつぎのような問題点があつた。
リンゴは病後の人や高齢者の健康食として栄養価の高いリンゴが善いと考えられて来たが只調理が難しい事が問題であつた。一度リンゴをオロシ金で擂りおろしてから、布に包んで搾つて果汁と滓を分けていたが。下ろしている内にリンゴが小さくなると、オロシ金で手を傷つけ又布で絞るのは力が無いとできないので、折角のリンゴを使用される事はなかつた。
この発明は、以上のような欠点を無くす為になされたものである。
【課題を解決するための手段】
【０００４】  この欠点を解決する為の手段として、簡単な調理方法の研究を重ねてきた決果、［芯取機］で芯を抜いたリンゴを、回転オロシ金でオロシ乍ら遠心分離装置で果汁と滓を分離する調理器を発明した。
【発明の効果】
【０００５】  此れまで、リンゴは栄養豊富な優れた果物であり乍ら調理が難しく使用されなかつた、今回この画期的な［調理器］を使えば閣外品の小玉リンゴでも即座に美味しいジュースが出来るので家族全員が美味しいジュウスを沢山飲んで［家族団欒の］一助に成れば望外の幸せである。
【図面の簡単な説明】
【０００６】［図面は多項目］の為［品名を直接］記入した。［手動回転ハンドル］で［伝動歯車］から［調理器本体］を回転させ、オロシ金でリンゴをオロシ乍、［遠心分離］により果汁と滓を同時に分離する。
【図１】は手動リンゴ調理器の構造図である。
【図２】はオロシ金の平面図である
【図３】は芯抜機の視斜図である。［プラスチック軸受は無給油無磨耗］である為に［調理器の］安全と清潔が確保出来た。
【図１】
2012081216.tif 000003
【図２】
2012081216.tif 000004
【図３】
2012081216.tif 000005
【手続補正書】
【提出日】平成22年12月16日(2010.12.16)
【手続補正１】
【補正対象書類名】特許請求の範囲
【補正対象項目名】全文
【補正方法】変更
【補正の内容】
【特許請求の範囲】
【請求項１】
リンゴ調理器の、オロシ金を回転させ、リンゴを擂りオロシ乍ら果汁と滓を遠心分離する。
【手続補正２】
【補正対象書類名】明細書
【補正対象項目名】全文
【補正方法】変更
【補正の内容】
【発明の詳細な説明】
【技術分野】
【０００１】この発明は、リンゴを回転オロシ金で擂りオロシ乍、果汁と滓を分離に関するものである。
【背景技術】
【０００２】従来の、リンゴジューサーは投入口が小さくて四つ割にしてもジューサーに入らん為使用不能であつた。そのため止むを得ずリンゴをオロシ金で下してから布で搾り果汁と滓を分けていた。
【発明の開示】
【発明が解決しようとする課題】
【０００３】これはつぎのような問題点があつた。
リンゴは病後の人や高齢者の健康食として栄養価の高いリンゴが善いと考えられて来たが只調理が難しい事が問題であつた。一度リンゴをオロシ金で擂りおろしてから、布に包んで搾つて果汁と滓を分けていたが。下ろしている内にリンゴが小さくなると、オロシ金で手を傷つけ又布で絞るのは力が無いとできないので、折角のリンゴを使用される事はなかつた。
この発明は、以上のような欠点を無くす為になされたものである。
【課題を解決するための手段】
【０００４】この欠点を解決する為の手段として、簡単な調理方法の研究を重ねてきた決果、［芯取機］で芯を抜いたリンゴを、回転オロシ金でオロシ乍ら遠心分離装置で果汁と滓を分離する調理器を発明した。
【発明の効果】
【０００５】此れまで、リンゴは栄養豊富な優れた果物であり乍ら調理が難しく使用されなかつた、今回この画期的な［調理器］を使えば閣外品の小玉リンゴでも即座に美味しいジュースが出来るので家族全員が美味しいジュウスを沢山飲んで［家族団欒の］一助に成れば望外の幸せである。
【図面の簡単な説明】
【０００６】
【図１】はリンゴ調理器の構造図である。
【図２】はオロシ金の平面図である
【図３】は芯抜機の視斜図である。
【手続補正３】
【補正対象書類名】図面
【補正対象項目名】全図
【補正方法】変更
【補正の内容】
【図１】
2012081216.tif 000006
【図２】
2012081216.tif 000007
【図３】
2012081216.tif 000008